(57)【特許請求の範囲】
【請求項１】
タービン静止ノズル翼形部であって、当該タービン静止ノズル翼形部が、
凹状正圧壁であってその凹状正圧壁を貫通するスロットを有する凹状正圧壁と、
各々の端部接合部で前記凹状正圧壁と接する凸状負圧壁と、
前記スロットと流体接続し前記凸状負圧壁と前記凹状正圧壁の間に位置するポケットと
を備えており、前記凸状負圧壁又は前記凹状正圧壁の少なくとも一方が、前記各々の端部接合部の一方の近傍に薄肉セグメントを含んでいて、薄肉セグメントが前記タービン静止ノズル翼形部の後縁に向かってポケットを延長せしめるように構成されており、前記各々の端部接合部が溶接接合部を含んでいて、前記溶接接合部の第１のものが前記タービン静止ノズル翼形部の前縁の近傍に位置し、前記溶接接合部の第２のものが前記タービン静止ノズル翼形部の後縁に位置しており、前記スロットが、前記タービン静止ノズル翼形部の後縁の近傍の前記薄肉セグメント内に位置していて、前記薄肉セグメントが前記溶接接合部の第２のものと当接しており、前記スロットが凹状正圧壁の薄肉セグメントを完全に貫通している、タービン静止ノズル翼形部。
【請求項２】
前記凸状負圧壁及び前記凹状正圧壁が両方とも薄肉セグメントを含む、請求項１記載のタービン静止ノズル翼形部。
【請求項３】
前記薄肉セグメントが前記ポケット内にネック部を画成しており、該ネック部が前記凸状負圧壁と凹状正圧壁の間にサブポケットを形成し、前記スロットが、前記サブポケットの後縁の近傍で前記サブポケットに流体接続している、請求項１記載のタービン静止ノズル翼形部。
【請求項４】
前記薄肉セグメントが、ポケット終端基準点を越えて前記ポケットを延長せしめ、該ポケット終端基準点が、いずれも薄肉セグメントを含まない２つのノズル翼形部壁の連結部を表す、請求項１記載のタービン静止ノズル翼形部。
【請求項５】
前記スロットが、前記ポケット終端基準点と前記ポケットの後縁との間の位置で前記ポケットと流体連通するよう構成される、請求項４記載のタービン静止ノズル翼形部。
【請求項６】
前記凸状負圧壁又は前記凹状正圧壁の少なくとも一方の残りのものが、前記薄肉セグメントの厚さの１．５〜２倍の厚さを有する、請求項１記載のタービン静止ノズル翼形部。
【請求項７】
作動流体を配向するための軸方向に分散したノズルのセットを備えるタービンステータであって、前記軸方向に分散したノズルのセットの１つが、請求項１乃至請求項６のいずれか１項記載のタービン静止ノズル翼形部を複数含んでいる、タービンステータ。
【請求項８】
一対の端壁と、
前記一対の端壁の間に配設され各端壁と接続する請求項１乃至請求項６のいずれか１項記載のタービン静止ノズル翼形部と
を備えるタービン静止ノズル。
【発明の詳細な説明】
【技術分野】
【０００１】
本明細書で開示する主題は、スロット付きタービン翼形部に関する。より詳細には、本発明の態様は、当該翼形部を含むタービン段の効率を高めるための水分迂回スロットを有するタービン翼形部を含む。
【背景技術】
【０００２】
タービンの一部の段（例えば、低圧蒸気タービンセクションの最終段）において、これらの段を通過する高速で局所的な蒸気の水分濃度は、回転バケットの先端領域並びに静止ノズル翼形部の壁をエロージョンする可能性がある。この領域における蒸気のエロージョン作用に対処するため、従来、製造者らは、先端領域付近のバケット翼形部前縁を硬化し、又は周辺ストリップでこの区域をシールドしている。別の従来手法は、ノズル外側側壁（又は端壁）の排水装置を通じて、或いは、中空静止ノズル翼形部内に形成された正圧及び／又は負圧スロットを通じて蓄積した水を除去することを含む。その結果、この水分は、タービンダイアフラムとタービンケーシングとの間の円周方向キャビティ内に集められ、復水器又は他の好適な圧力ダンプ（又はチャンバ）に排出される。しかしながら、これら従来手法は何れも各々欠点を有する。硬化又はシールドの場合には、このような保護に伴うコストが相当なものとなる可能性がある。正圧又は負圧スロットを備えた従来の中空翼形部の場合には、これらの翼形部及びスロットの製造が困難であり、翼形部に変形を生じることなくタービンダイアフラムリング内に溶接するのが難しい可能性がある。
【先行技術文献】
【特許文献】
【０００３】
【特許文献１】米国特許第７４２２４１５号明細書
【発明の概要】
【０００４】
タービン静止ノズル翼形部について開示する。一実施形態では、タービン静止ノズル翼形部は、壁を貫通するスロットを有する凹状正圧壁と、各々の端部接合部で凹状正圧壁と接する凸状負圧壁と、スロットと流体接続し凸状負圧壁と凹状正圧壁の間に位置するポケットとを備えており、凸状負圧壁又は凹状正圧壁の少なくとも一方が、各々の端部接合部の一方の近傍に薄肉セグメントを含んでおり、薄肉セグメントはタービン静止ノズル翼形部の後縁に向かってポケットを延長せしめるように構成されている。
【０００５】
本発明の第１の態様は、壁を貫通するスロットを有する凹状正圧壁と、各々の端部接合部で凹状正圧壁と接する凸状負圧壁と、スロットと流体接続し凸状負圧壁と凹状正圧壁の間に位置するポケットとを備えるタービン静止ノズル翼形部であって、凸状負圧壁又は凹状正圧壁の少なくとも一方が、各々の端部接合部の一方の近傍に薄肉セグメントを含み、薄肉セグメントはタービン静止ノズル翼形部の後縁に向かってポケットを延長せしめるように構成されている、タービン静止ノズル翼形部を包含する。
【０００６】
本発明の第２の態様は、壁を貫通するスロットを有する凹状正圧壁と、各々の端部接合部で凹状正圧壁と接する凸状負圧壁と、スロットと流体接続し凸状負圧壁と凹状正圧壁の間に位置するポケットとを備えるタービンステータであって、凸状負圧壁又は凹状正圧壁の少なくとも一方が、各々の端部接合部の一方の近傍に薄肉セグメントを含み、薄肉セグメントはタービン静止ノズル翼形部の後縁に向かってポケットを延長せしめるように構成されている、タービンステータを含む。
【０００７】
本発明の第３の態様は、一対の端壁と、一対の端壁の間に配設され各端壁と接続するタービン翼形部とを備え、タービン翼形部が、壁を貫通するスロットを有する凹状正圧壁と、各々の端部接合部で凹状正圧壁と接する凸状負圧壁と、スロットと流体接続し凸状負圧壁と凹状正圧壁の間に位置するポケットとを備え、凸状負圧壁又は凹状正圧壁の少なくとも一方が、各々の端部接合部の一方の近傍に薄肉セグメントを含み、薄肉セグメントはタービン静止ノズル翼形部の後縁に向かってポケットを延長せしめるように構成されている、タービン静止ノズルを含む。
【０００８】
本発明のこれら及び他の特徴は、本発明の種々の実施形態を示した添付図面を参照しながら、本発明の種々の態様に関する以下の詳細な説明から容易に理解されるであろう。
【図面の簡単な説明】
【０００９】
【図１】本発明の態様に係るノズル翼形部の側断面図。
【図２】本発明の態様に係る、図１のノズル翼形部の拡大断面図。
【図３】本発明の態様に係るタービンの一部の平面図。
【発明を実施するための形態】
【００１０】
本発明の図面は縮尺通りではない点に留意されたい。当該図面は、本発明の典型的な態様のみを描くことを意図しており、従って、本発明の範囲を限定するものとみなすべきではない。図面において、同様の参照符号は通常、前後関係から別の意味を示さない限り、同じ構成要素とみなされる。
【００１１】
本明細書で開示する主題は、スロット付きタービン翼形部に関する。より詳細には、本発明の態様は、当該翼形部を含むタービン段の効率を高めるための水分迂回スロットを有するタービン翼形部を含む。
【００１２】
タービンの一部の段（例えば、低圧蒸気タービンセクションの最終段）において、これらの段を通過する高速で局所的な蒸気の水分濃度は、回転バケットの先端領域並びに静止ノズル翼形部の壁をエロージョンする可能性がある。この領域における蒸気のエロージョン作用に対処するため、従来では製造者らは、先端領域付近のバケット翼形部前縁を硬化し、又は周辺ストリップでこの区域をシールドしている。別の従来手法は、ノズル外側側壁（又は端壁）の排水装置を通じて、或いは、中空静止ノズル翼形部内に形成された正圧及び／又は負圧スロットを通じて蓄積した水を除去することを含む。その結果、この水分は、タービンダイアフラムとタービンケーシングとの間の円周方向キャビティ内に集められ、復水器又は他の好適な圧力ダンプ（又はチャンバ）に排出される。しかしながら、これら従来手法は何れも欠点を各々有する。硬化又はシールドの場合には、このような保護に伴うコストが相当なものとなる可能性がある。正圧又は負圧スロットを備えた従来の中空翼形部の場合には、これらの翼形部及びスロットを製造するのが困難であり、翼形部に変形を生じることなくタービンダイアフラムリング内に溶接するのが難しくなる可能性がある。
【００１３】
蒸気タービンの低圧（ＬＰ）セクションにおける水分除去段は、幾つかの利点の目的を果たす。セクションからの水分除去により、最終段回転バケットに対するエロージョンが低減される。このことは、バケットの寿命を延ばすだけでなく、バケットの輪郭形状を維持する。加えて、水分除去により、バケットに衝突する蒸気軌道に悪影響を及ぼす可能性がある水滴が除去されることで性能が改善される。蒸気軌道の不良は、段効率の低下につながる可能性がある。
【００１４】
本明細書で記載されるように、ＬＰタービンの静止ノズル組立体における水分除去の従来の取り組みは、様々な点で不十分である。タービンノズル翼形部の壁がおよそ４ｍｍの均一な厚さを有するような、従来の「薄壁」設計は、タービン翼形部の後縁の近傍に水分除去スロットを配置することができる。この「薄壁」設計におけるスロットの配置は、（前縁のかなり下流側にあるので）ノズル翼形部の面から水分を除去する助けとなるが、「薄壁」設計は、壁の厚さに起因した変形などの製造容易性上の問題を生じる傾向がある。この変形は、空気力学的輪郭を悪化させることにつながり、更に最終ダイアフラム組立体の溶接を変形させる恐れがあり、タービン性能に悪影響を及ぼす。逆に、およそ６〜８ｍｍの厚さを備えたタービンノズル翼形部壁を有する、従来の「厚壁」設計は、「薄壁」設計よりも変形が少なくなるが、水分除去スロットを翼形部の前縁の近傍に位置付ける必要がある。この設計におけるスロットの位置は、水分除去にあまり効果的ではない。
【００１５】
これらの従来設計とは対照的に、本発明の態様は、壁を貫通するスロットを有する凹状正圧壁と、各々の端部接合部で凹状正圧壁と接する凸状負圧壁と、スロットと流体接続し凸状負圧壁と凹状正圧壁の間に位置するポケットとを備えたタービン静止ノズル翼形部を含み、凸状負圧壁又は凹状正圧壁の少なくとも一方が各々の端部接合部の一方の近傍に薄肉セグメントを含み、薄肉セグメントはタービン静止ノズル翼形部の後縁に向かってポケットを延長せしめるように構成されている。
【００１６】
図１を参照すると、本発明の実施形態に係るタービン翼形部（又は翼形部）２の側断面図を示す。図示のように、タービン静止ノズル翼形部２は、凸状負圧壁４と、壁を貫通するスロット６を有する凹状正圧壁８とを含むことができる。凹状正圧壁８は、各々の端部接合部１０（例えば、溶接部）にて凸状負圧壁４と隣接することができる。また図示のように、翼形部２は、スロット６と流体接続され且つ凸状負圧壁４と凹状正圧壁８の間に位置するポケット１２（具体的にはサブポケット１２Ｂ）を含むことができる。より詳細には、ある実施形態では、スロット６は、サブスロット１２Ｂの後縁１３の近傍で該サブスロット１２Ｂに流体接続する。加えて、凸状負圧壁４又は凹状正圧壁８の少なくとも１つは、凸状負圧壁４又は凹状正圧壁８の少なくとも１つの残りの部分１６（厚さ「ｔ’」を有する）よりも小さい厚さ（ｔ）を有する薄肉セグメント１４を含む。本明細書で更に説明するように、薄肉セグメント１４は、タービン静止ノズル翼形部２の後縁に向かってポケット１２を延長せしめるように構成されており、スロット６を従来の水分除去静止ノズル翼形部よりも後縁１８の近傍に配置できるようになる。ある実施形態では、スロット６は、例えば、薄肉セグメントが凹状正圧壁８内に配置されたときに、薄肉セグメント１４を貫通する。
【００１７】
図１は、凹状正圧壁８だけが薄肉セグメント１４を有し、凸状負圧壁４は実質的に均一な厚さ（破線で示す）を有する実施形態（仮想線）を示している。別の実施形態では、図２に示すように、凸状負圧壁４のみが薄肉セグメント１４を含み、凹状正圧壁８が実質的に均一な厚さ（当該図では破線で示す）を有することができることは理解される。すなわち、一部の場合では、凸状負圧壁４又は凹状正圧壁８の一方だけが薄肉セグメント１４を含むことができる。他の場合では、凸状負圧壁４及び凹状正圧壁８の両方が薄肉セグメント１４を含むことができる。しかしながら、いずれの場合も、薄肉セグメント１４は、後縁１８に向かってポケット１２（サブポケット１２Ｂを形成する）を延長せしめる。薄肉セグメント１４は、凸状負圧壁４と凹状正圧壁８の間にポケット１２のサブポケット１２Ａ、１２Ｂを形成するネック部１９を画成することができる。
【００１８】
図１に示すように、薄肉セグメント１４は、各々の端部接合部１０（例えば、溶接部）とスロット６のうちの一方の近傍に配置し得る。一部の例では、薄肉セグメント１４が凹状正圧壁８に配置される場合、スロット６は、凹状正圧壁８の薄肉セグメント１４内に配置（つまり貫通）することができる。加えて、薄肉セグメント１４（及びスロット６）は、翼形部２の後縁１８の近傍に配置することができる。すなわち、薄肉セグメント１４は、翼形部の後縁１８に位置する接合部１０（溶接部）に当接（例えば、物理的に接触）することができ、この場合、この接合部１０は、凸状負圧壁４を凹状正圧壁８に結合している。「厚壁」設計を用いた従来手法と比べて、本明細書で開示する翼形部２は、凹状正圧壁８に沿って約１０〜２０パーセント後縁１８により近接したスロット６の位置付けを可能にする。この場合のスロット６の位置付けは、凹状正圧壁８にわたってより効率的な水分除去を可能にする。
【００１９】
図示のように、凸状負圧壁４又は凹状正圧壁８の一方もしくは両方は、壁の残りの部分１６よりも小さい厚さ（ｔ）を有する薄肉セグメント１４を含むことができ、ここで当該残りの部分１６は第２のより大きな厚さ（ｔ’）を有する。一部の例におけるこの第２の厚さ（ｔ’）は、小さな厚さ（ｔ）の約１．５〜２倍とすることができる。このことは、薄壁設計に関連する製造問題を防ぎながら、従来の厚壁設計におけるよりもより後縁１８に近接したスロット６の配置を可能にすることができる。
【００２０】
図２は、図１の翼形部２の拡大側断面図を示し、スロット６と薄肉セグメント１４との関係をより明確に示している。この図に示すように、薄肉セグメント１４は、凸状負圧壁４も凹状正圧壁８も薄肉セグメント１４を含まない場合（本明細書で「厚壁」実施例を参照して説明したような）よりも後縁１８に近接したスロット６の配置を可能にする。
【００２１】
図２にはまた、従来技術の「厚壁」実施形態に係る水分除去スロット（又は従来技術のスロット）ＰＡの位置を示す（仮想線で）。翼形部２の図から明らかになるように、従来技術のスロットＰＡは、本発明の実施形態に従って形成されたスロット６よりも後縁から離れて配置される。これは、溶接部（端部接合部１０のような）がこれまで配置されていたはずの場所にスロット６を配置することができる壁（４又は８）の少なくとも１つの薄肉セクション１４に起因して実施可能となる。一部の例では、本発明の実施形態に係る翼形部２におけるスロット６は、従来技術の「厚壁」実施例におけるよりも後縁１８に１０〜２０％近接して配置される。図２は更に、ポケット終端基準点２１を示し、これは、「厚壁」設計を用いた従来技術のポケットの終端となる位置を示している。このポケット終端基準点２１は、各々が薄肉セグメント１４を含まない２つのノズル翼形部壁（従来技術による）の連結部を表している。すなわち、図示され本明細書で記載される少なくとも１つの薄肉セグメント１４を使用しなければ、ポケット（例えば、ポケット１２）は、後縁１８に向かってポケット終端基準点２１を越えて延在することはない。図示のように、これにより、ポケット終端基準点２１とポケット１２の後縁１３の間の位置でスロット６がポケット１２（例えば、サブポケット１２Ｂ）と流体連通できるようになる。この場合、「厚壁」設計の欠点に関して本明細書で説明されたように、従来技術のスロットＰＡは、後縁１８からより離れて位置し、水分除去の効果が少ない。このポケット終端基準点２１に関して、図示され本明細書で開示する薄肉セグメント１４は、ポケット１２がポケット終端基準点２１を越えて延在し、サブポケット１２Ｂの形成及び本明細書で記載される水分除去の増強が可能となる。
【００２２】
実施形態に係る翼形部２の製造は、凸状負圧壁４及び凹状正圧壁８を各々別個にハイドロフォーミングする段階を含むことができ、ここで壁（４、８）の少なくとも１つが薄肉セグメント１４を含む。壁（４、８）のハイドロフォーミング後、これらの壁は、ガスタングステンアーク溶接（又は不活性ガス、ＴＩＧ溶接）、ガス金属アーク溶接（又は金属不活性ガス、ＭＩＧ溶接）、その他などの従来の溶接技術を用いて各々の接合部１０（図１の前縁２０及び後縁１８各々に近接した）において共に溶接することができる。別の実施形態では、各々の凸状負圧壁４及び凹状正圧壁８は、成型、機械加工、又は他の方法で別個に形成され、次いで各々の接合部にて共に溶接することができる。いずれの場合も、従来の翼形部と比べて、本発明の実施形態に係る翼形部２は、凸状負圧壁４の後縁の近傍にスロット６を配置し、これによりこれらの翼形部２の１以上を含むタービン段における水分除去を改善することができる。
【００２３】
図３は、本発明の態様に係るタービン２２（例えば、低圧蒸気タービンセクションのような蒸気タービン）の一部の平面図を示す。図示のように、タービン２２は、実質的にタービンロータ２６を囲むタービンステータ２４を含むことができる。ステータ２４は、ノズル２８の軸方向に分散したセット（１つのセットが図示される）を含むことができ、ここではノズル２８の軸方向に分散したセットの１以上が複数のタービン静止ノズル翼形部（例えば、図２に示し且つ図１〜２を参照して説明された翼形部２）を含むことができる。すなわち、ある実施形態では、ノズル２８のセット全体がノズル翼形部２を含むことができ、一部の例では、ノズル２８の複数のセットがノズル翼形部２を含むことができる。一部の例では、ノズル２８のセットにおける各タービン静止ノズル２は、端壁３０のペアと、該端壁３０のペアの各々の間で分散され且つこれらと接続されたノズル翼形部２とを含むことができる。当該技術分野で公知のように、これらのタービン静止ノズル２８は、タービン２２の作動中にステータ２４内に静止したままであり、ロータ２６の回転ブレード３２に向けて作動流体を配向し、ロータのシャフト（図示しないが、当該技術分野で公知のように、軸線ａ−ａと整列している）の運動を誘起する。本明細書で説明されるように、タービン２２におけるノズル２８のこれらのセットの少なくとも１つは、１以上のスロット６を用いて翼形部面（凹状正圧側面４）から水分を除去するよう構成することができる。
【００２４】
本明細書で使用される用語は、特定の実施形態を説明するためのものに過ぎず、本開示を限定するものではない。本明細書で使用される単数形態は、前後関係から明らかに別の意味を示さない限り複数形態も含む。更に、本明細書内で使用する場合に、用語「備える」及び／又は「備えている」という用語は、そこに述べた特徴部、完全体、ステップ、動作、要素及び／又は構成部品の存在を明示しているが、１以上の他の特徴部、要素、構成部品及び／又はそれらの群の存在又は付加を排除するものではないことは理解されるであろう。用語「前方」及び「後方」は、限定を意図するものではなく、適切な場合には置き換えることを意図している。
【００２５】
本明細書は、最良の形態を含む実施例を用いて本発明を開示し、更に、あらゆる当業者があらゆるデバイス又はシステムを実施及び利用すること並びにあらゆる包含の方法を実施することを含む本発明を実施することができる。本発明の特許保護される範囲は、請求項によって定義され、当業者であれば想起される他の実施例を含むことができる。このような他の実施例は、請求項の文言と差違のない構造要素を有する場合、或いは、請求項の文言と僅かな差違を有する均等な構造要素を含む場合には、本発明の範囲内にあるものとする。
【符号の説明】
【００２６】
２  タービン翼形部
４  凸状負圧壁
６  スロット
８  凹状正圧壁
１０  端部接合部
１２  ポケット
１２Ａ、１２Ｂ  サブポケット
１４  薄肉セグメント
１８  後縁
１９  ネック部
【図１】
0006002028.tif 000002
【図２】
0006002028.tif 000003
【図３】
0006002028.tif 000004